(57)【特許請求の範囲】
【請求項１】
無線移動局が送信し、または該無線移動局に送信する音声データのコーデックを行う音声処理装置と、
前記音声処理装置で行うコーデックの種別を決定する基地局制御装置と、
前記音声処理装置で行うコーデックの種別を前記基地局制御装置から受信し、前記受信したコーデックの種別を、前記無線移動局から受信し符号化された音声データと合わせて前記音声処理装置へ送信する無線基地局と
を備えたことを特徴とする移動通信システム。
【請求項２】
前記移動通信システムは、前記無線基地局と前記無線基地局制御装置との中継、および前記無線基地局と前記音声処理装置との中継を行う第２の無線基地局を更に備えたことを特徴とする、請求項１記載の移動通信システム。
【請求項３】
無線移動局が送信し、または該無線移動局に送信する音声データのコーデックを行う音声処理装置と、基地局制御装置と、無線基地局とを備えた移動通信システムの前記音声処理装置のコーデックを切り替える方法であって、
前記基地局制御装置が、前記音声処理装置で行うコーデックの種別を判断するステップと、
前記基地局制御装置が、前記判断により決定されたコーデックの種別を前記無線基地局へ送信するステップと、
前記無線基地局が、前記無線移動局が使用するコーデックの種別を、前記無線移動局から受信し符号化された音声データに特定のビットとして付加するステップと、
前記無線基地局が、前記特定のビッドが付加された音声データを前記音声処理装置へ送信するステップと、
前記音声データを受信した音声処理装置が、前記特定のビットから前記無線移動局が使用するコーデックの種別を判断するステップと、
前記音声処理装置が、前記コーデックの種別に応じてコーデックを切り替えるステップと
を備えることを特徴とする移動通信システムにおけるコーデック切り替え方法。
【請求項４】
前記移動通信システムは、前記無線基地局と前記無線基地局制御装置との中継、および前記無線基地局と前記音声処理装置との中継を行う第２の無線基地局を更に備えることを特徴とする請求項３記載の移動通信システムにおけるコーデック切り替え方法。
【請求項５】
音声処理装置で行うコーデックの種別を基地局制御装置から受信し、前記受信したコーデックの種別を、無線移動局から受信し符号化された音声データと合わせて前記音声処理装置へ送信することを特徴とする、移動通信システムの無線基地局。
【発明の詳細な説明】
【０００１】
【発明の属する技術分野】
本発明は、移動通信の制御方法に関し、より詳細には、無線移動局が通信に使用するコーデック種別に応じて無線基地局あるいは小型無線基地局が音声処理装置のコーデックの切り替えを行う制御方法に関するものである。
【０００２】
【従来の技術】
図３は、従来の移動通信システムにおけるネットワーク構成を示した図である。
【０００３】
従来、無線移動局３０９が音声通信を行う場合、基地局制御装置３０３はネットワーク構成、無線移動局３０９のもつコーデック能力等に基いて無線移動局３０９が使用するコーデック種別を決定し、交換機３０１に対して使用するコーデック種別を報告する(図３の（ｂ）)。これを受けた交換機３０１が音声処理装置３０５に対して使用するコーデック種別を指定し（（ｃ））、音声処理装置３０５は指定されたコーデック種別で起動する。同時に基地局制御装置３０３が無線基地局３０７と無線移動局３０９に対して使用するコーデック種別を指定し（（ａ））、無線移動局３０９は対応するコーデック種別を使用して音声通信を行う。
【０００４】
【発明が解決しようとする課題】
しかし、移動通信システムにおいて技術の進歩により新しい符号化方式のコーデックが開発され従来のコーデックと同時に複数使用する場合には、網側装置（交換機、基地局制御装置、音声処理装置）、無線基地局および小型無線基地局をコーデックの複数使用に対応できるように変更していた。また、これらの装置を制御するための制御信号も変更していた。
【０００５】
今後、新しい符号化方式のコーデックが開発された際に、ネットワークを構成する全ての装置ならびに制御信号を変更するのは作業時間、作業労力および経済性の観点から導入するのに困難が生じるため、既存のネットワーク構成において変更を最小限に抑えられるようにすることが好ましい。
【０００６】
【課題を解決するための手段】
すなわち、このような課題を達成するために、本発明に係る移動通信システムは、無線移動局が送信し、または該無線移動局に送信する音声データのコーデックを行う音声処理装置と、前記音声処理装置で行うコーデックの種別を決定する基地局制御装置と、前記音声処理装置で行うコーデックの種別を前記基地局制御装置から受信し、前記受信したコーデックの種別を、前記無線移動局から受信し符号化された音声データと合わせて前記音声処理装置へ送信する無線基地局とを備えたものである。
【０００７】
ここで、前記移動通信システムは、前記無線基地局と前記無線基地局制御装置との中継、および前記無線基地局と前記音声処理装置との中継を行う第２の無線基地局を更に備えてもよい。
【０００８】
また、本発明に係る移動通信システムにおけるコーデック切り替え方法は、無線移動局が送信し、または該無線移動局に送信する音声データのコーデックを行う音声処理装置と、基地局制御装置と、無線基地局とを備えた移動通信システムの前記音声処理装置のコーデックを切り替える方法であって、前記基地局制御装置が、前記音声処理装置で行うコーデックの種別を判断するステップと、前記基地局制御装置が、前記判断により決定されたコーデックの種別を前記無線基地局へ送信するステップと、前記無線基地局が、前記無線移動局が使用するコーデックの種別を、前記無線移動局から受信し符号化された音声データに特定のビットとして付加するステップと、前記無線基地局が、前記特定のビッドが付加された音声データを前記音声処理装置へ送信するステップと、前記音声データを受信した音声処理装置が、前記特定のビットから前記無線移動局が使用するコーデックの種別を判断するステップと、前記音声処理装置が、前記コーデックの種別に応じてコーデックを切り替えるステップとを備えたものである。
【０００９】
ここで、前記移動通信システムは、前記無線基地局と前記無線基地局制御装置との中継、および前記無線基地局と前記音声処理装置との中継を行う第２の無線基地局を更に備えるのとしてもよい。
【００１０】
また、本発明に係る移動通信システムの無線基地局は、音声処理装置で行うコーデックの種別を基地局制御装置から受信し、前記受信したコーデックの種別を、無線移動局から受信し符号化された音声データと合わせて前記音声処理装置へ送信するものである。
【００１４】
【発明の実施の形態】
(第１の実施の形態)
図１に本発明の一実施例であるネットワーク構成図を示す。
【００１５】
１０３は、チャネルの割り当てや使用するコーデックの種別を決定し制御を行う基地局制御装置である。１０５は、音声データを符号化・復号化する（コーデックを行う）音声処理装置である。１０７は、無線移動局と無線で通信を行う無線基地局である。
【００１６】
無線移動局１０９が音声通信を行うために発呼を要求すると、無線基地局１０７は基地局制御装置１０３に対し、発呼の要求があったこと、および要求をした無線移動局１０９のコーデック能力を通知する。
【００１７】
基地局制御装置１０３は、ネットワーク構成、無線移動局１０９のコーデック能力等から無線移動局１０９が使用するコーデックの種別を決定する。
【００１８】
次に、基地局制御装置１０３は使用するコーデックの種別を、無線基地局１０７を介して無線移動局１０９に通知する（図１の（ａ））と同時に、交換機１０１に対して使用するコーデックを報告する（（ｂ））。本実施形態において、新たなコーデック種別は、従来の特定ビットに更にビットを追加して表現される。交換機１０１は、音声処理装置１０５に対してコーデックの起動を命じ（（ｃ））、音声処理装置１０５は、交換機１０１の命令に従い、コーデックを起動する。
【００１９】
本実施形態において、起動されるコーデックは後に切り替えることができるので、交換機１０１は従来使用していたもので足りる。この場合、交換機１０１は、基地局制御装置１０３から受け取ったコーデック種別のうち、従来の特定ビットからコーデックを認識し、音声処理装置１０５に対し、コーデックの起動を命じる。
【００２０】
本実施形態において、無線基地局１０７が音声データを音声処理装置１０５へ送信するためのタイムスロットには、使用するコーデックの種別を定義する特定のビットを定義する領域が確保されている。無線基地局１０７は、通話が開始される際に局間伝送路１１１内の上り信号に符号化された音声データとコーデックの種別をあわせて、上位の音声処理装置１０５に送信する（（ｄ））。音声処理装置１０５はこの特定ビットを判断し、起動されているコーデックの種別と異なる場合に無線移動局１０９が使用しているコーデックに対応するように自身のコーデックの切り替えを行ってから通話が開始される。
【００２１】
(第２の実施の形態)
無線基地局は、２段階の構成にしてもよい。例えば、交換機から見て最初に比較的大型の無線基地局を配置し、次に小規模なサービスエリアを形成する比較的小型の無線基地局を配置することが考えられる。
【００２２】
図２に本発明の他の実施例であるネットワーク構成図を示す。
【００２３】
２０３は、チャネルの割り当てや使用するコーデックの種別を決定し制御を行う基地局制御装置である。２０５は、音声データを符号化・復号化する音声処理装置である。２０７−１は、無線移動局と無線で通信を行う無線基地局である。２０７−２および２０７−３は、無線基地局２０７−１に接続されて小規模なサービスエリアを形成し、無線移動局２０９と無線で通信を行う小型無線基地局である。
【００２４】
例えば、無線移動局２０９−２が音声通信を行うために発呼を要求すると、小型無線基地局２０７−２は基地局制御装置２０３に対し、発呼の要求があったこと、および要求をした無線移動局２０９−２のコーデック能力を通知する。
【００２５】
基地局制御装置２０３は、ネットワーク構成、無線移動局２０９−２のコーデック能力等から無線移動局２０９−２が使用するコーデックを決定する。
【００２６】
次に、基地局制御装置２０３は使用するコーデックの種別を、無線基地局２０７−１および小型無線基地局２０７−２を介して無線移動局２０９−２に通知する(図２の（ａ）)と同時に、交換機２０１に対して使用するコーデックを報告する（（ｂ））。交換機２０１は、音声処理装置２０５に対してコーデックの起動を命じ（（ｃ））、音声処理装置２０５は、交換機２０１の命令に従い、コーデックを起動する。
【００２７】
本実施形態において、起動されるコーデックは後に切り替えることができるので、交換機２０１は従来使用していたもので足りる。この場合、交換機２０１は、基地局制御装置２０３から受け取ったコーデック種別のうち、従来の特定ビットからコーデックを認識し、音声処理装置２０５に対し、コーデックの起動を命じる。
【００２８】
本実施形態において、小型無線基地局２０７−２が音声処理装置２０５へ音声データを送信するためのタイムスロットには、使用するコーデックの種別を示す特定のビットを定義する領域が確保されている。小型無線基地局２０７−２は、通話が開始される際に局間伝送路２１１内に符号化された音声データとコーデックの種別をあわせ、無線基地局２０７−１を経由して上位の音声処理装置２０５に送信する（（ｄ））。音声処理装置２０５はこの特定ビットを判断し、起動されているコーデックの種別と異なる場合に無線移動局２０９−２が使用しているコーデックに対応するように自身のコーデックの切り替えを行い通話が開始される。
【００２９】
【発明の効果】
以上説明したように、本発明によれば、ネットワーク内に新しい符号化方式のコーデックを追加して複数コーデックを同時使用する場合であっても、交換機、および交換機と音声処理装置間の制御信号を変更する必要がなくなる。
【００３０】
また、本発明の実施に関して、上位の基地局制御装置はコーデック種別の切り替えの際に特別な制御を行うこと無しに処理することができるため、基地局制御装置の負荷を増大することなく経済的に複数のコーデック能力を使用することができる。
【図面の簡単な説明】
【図１】本発明の一実施例である移動通信システムのネットワーク構成を示す図である。
【図２】本発明の他の実施例である移動通信システムのネットワーク構成を示す図である。
【図３】従来の移動通信システムのネットワーク構成を示す図である。
【符号の説明】
１０１  交換機
１０３  基地局制御装置
１０５  音声処理装置
１０７  無線基地局
１０９  無線移動局
１１１  局間伝送路
２０１  交換機
２０３  基地局制御装置
２０５  音声処理装置
２０７−１  無線基地局
２０７−２，２０７−３  小型無線基地局
２０９−１，２０９−２，２０９−３  無線移動局
２１１  局間伝送路
３０１  交換機
３０３  基地局制御装置
３０５  音声処理装置
３０７  無線基地局
３０９  無線移動局
【図１】
0003682846.tif 000002
【図２】
0003682846.tif 000003
【図３】
0003682846.tif 000004